(57)【要約】      （修正有）【課題】多量のマイナスイオン効果、多量の遠赤外線効果が得られると共に、身体への温熱効果も得られ、床部の断熱効果を大きくし、省エネルギーに優れたものにする。【解決手段】鉱石類を使用し、マイナスイオン・遠赤外線・又イオンが発生出来る生成材を搬入した健康パネル盤の開発。又は、ＣＯ２の発生を極力押さえた省エネルギー装置で低温コスト維持管理が出来、先行技術の達成し得なかった装置や効果等の開発。この発明により、パネル工場加工生産ができ、床暖房取り付け現場での合理化等を解決。【選択図】図１
2006266658.tif 000002
【特許請求の範囲】
【請求項１】
底面にメッシュ筋を敷き、温熱管を取り付け、中間にイオン生成材と黒曜石パーライト等で練り合わせ搬入し、強度を保つ為、その上部にメッシュ筋を敷き、天然軽量焼石コンクリート又は、パーライト素材で練り固める。イオン生成材（例えば）トルマリン鉱石・北投石・ラジュウム鉱石・麦飯石・其の他の鉱石を搬入して約、一畳の大きさのパネル盤を工場加工で生産する。
【請求項２】
底面の温熱配管からの熱でパネル盤、全体が温まり、温熱伝道で、マイナスイオン・遠赤外線等が発生できる床暖房パネル盤装置。
【請求項３】
部屋全体の温度が外出しないように断熱施工し、壁関係を黒曜石パーライト素材で塗ることにより、パーライト特有の輻射熱が壁に吸収されて、その輻射熱が反射する装置になる。室内６面を外気温と遮断できる断熱建築施工を行う事で、低温度でマイナスイオン・遠赤外線が発生できるパネル盤装置を敷き並べる事により効果的な床暖房が健康につながるパネル装置。
【請求項４】
この発明の特徴は工場加工生産が出来る事、次に現場で畳のように敷く時に温熱管の接続が困難であった事をこの発明により、横列に並べて敷く時も縦列に並べて敷く時も、温熱管接続作業用の升によって取り付け作業が簡単にできる。ソケット差し込み方式で行うため強度を増す利点が多く、技術者以外の方でも接着が出来、確認後、更に安定の為に接続作業升の中にコンクリートで温熱管を固定する。
【発明の詳細な説明】
【技術分野】
【０００１】  本発明はマイナスイオン・遠赤外線を発生させて利用する床冷暖房パネル盤
【背景技術】
【０００２】  近年、床冷暖房の開発が進み、電気床暖房、又はビニール管方式床暖房、銅管に温熱を使用した床冷暖房工法を現場での作業が大きい。
【発明の開示】
【発明が解決しようとする課題】
【０００３】
【０００４】  しかしこのような床暖房にトルマリン・イオン生成材の量を多くできず、マイナスイオンや遠赤外線を多量に発生し難い。一般的に市販されているような床段房システムを敷くだけでは床部の断熱効果は大きくできない。又、省エネに関しては好ましくない。【０００５】  本発明はこのような従来の問題点に着目してなされたものであり、マイナスイオンや遠赤外線を多量に発生し易く、その多量のマイナスイオンや遠赤外線による効果が得られると共に、身体の温熱効果も得られ、床暖房効果が大きく、省エネルギーに優れたマイナスイオン床冷暖房を提供する事を目的とする。
【課題を解決するための手段】
【０００６】  上記目的を達成するために、本発明による床暖房パネル盤の床部にメッシュ筋を敷き、その上に温熱管（例えば銅管）を取り付けて温水を循環できる配管装置をセットし、マイナスイオン・遠赤外線イオン生成材を（一例、セメント１０％・砂３０％・黒曜石砕石３０％・黒曜石パーライト３０％）で練り合わせた素材を打ち込み、その上に、メッシュ筋を強度を保つために敷き、パーライトモルタルで上部を仕上げる。【０００７】  部屋内に多量のマイナスイオンを満たし、多量の遠赤外線を放射できる。
しかも、壁部の断熱性を大きくして、部屋の断熱効果が大きくできるので省エネルギーに適する。
【発明を実施するための最良の形態】
【０００８】  以下、添付の図１〜４を参照して、本発明の実施の最良形態を説明する。
図１は、本発明を適用したマイナスイオン床冷暖房の断面図、図２はパレット底面にメッシュ筋を敷いた平面図、図３はパレット盤に温水管を取り付け、マイナスイオン生成材を混入した横列型平面図、図４は縦列型連結升に温水管取り付け平面図、いずれも厚みが例えば１０ｃｍ〜１２ｃｍからの蓄積体にする。【０００９】  黒曜鉱石を使用する事により抗菌作用とマイナスイオン・遠赤外線等が発生して住居には最高の健康床暖房装置となる。
【表１】
長野県和田峠産黒曜石の成分含有率（％）
１  球さん珪酸（無水珪酸）  ７６．３６      ２  酸化アルミニウム  １２．４０
３  酸化カリウム              ４．４２      ４  三酸化鉄            １．０５
５  酸化カリウム              ０．４７      ６  酸化マンガン        ．０１８
７  酸化マグネシウム          ０．１４      ８  リン            ３００ｐｐｍ
９  スズ                  ２５０ｐｐｍ    １０  ホウ素          １５０ｐｐｍ
１１  モリブデン            ９０ｐｐｍ    １２  リチウム          ８６ｐｐｍ
１３  ニッケル              ３８ｐｐｍ    １４  コバルト          ３０ｐｐｍ
１５  銀                    ２５ｐｐｍ    １６  銅                ２０ｐｐｍ
１７  亜鉛                  ２０ｐｐｍ    １８  ストロンチウム    １０ｐｐｍ
【発明の詳細な説明】
【００１０】本発明はトルマリン鉱石・黒曜石・北投石・麦飯石・ラジュウム鉱石等の鉱石へ温熱を加え、マイナスイオン・遠赤外線を発生させ黒曜石熱加工のパーライト又は、自然軽量焼け石等を練り合わせした（シンダーコンクリート）工法を使用する事により、軽量になり運搬と現場作業等の合理化を改善したパネル盤に温熱蓄積層により省エネを解決が出来るパネル盤装置。
【００１１】  荻原大  先願申請の整理番号・Ｐ０４０Ｈ０１  特願２００４−２９４７０４（Ｐｒｏｏｆ）提出日・平成１６年１０月７日サウナに関する出願の中にトルマリン特殊パネル盤を今回開発の床暖房の上に重ね温熱を加えるとマイナスイオン・遠赤外線発生サウナに最適である。
建築住宅又は、サウナ関係の床暖房に使用する事により、人体に様々な健康利点になるパネル装置である。
【００１２】  黒曜鉱石は、銀銅・亜鉛等の抗菌性金属元素を含有し、住宅関係の床暖房に使用する事により温熱で高気性に維持する大きな役目を果たしている。
【００１３】  ランニングコストに関しては、先願特許２００４−２９４７０４（Ｐｒｏｏｆ）提出日平成１６年１０月７日荻原大が出願後本サウナ体験装置施工にて更に大き成果が上がって省エネルギー効果として確認できた。
【００１４】  この装置は熱源を床の発熱に求め、床温の上昇によって室温を達成しようとするもので、しかも熱伝道率と熱源そのものを通常の昇温装置（先行技術）比べると非常に低くしてあることを特徴としており、この為に柔らかい室温やマイナスイオン・遠赤外線・他に類を見ない程よく練れた状態で室内環境になる。
【００１５】生活用の床暖房に使用するには畳のように連結して敷き、温水管を接続して床上にカーベット等を敷き、室内はイオンが発生し、又夏は冷房、寒い時は暖房、１年中一定の温度で保てる生活ができる。
【符号の説明】
１    温水パイプ入口。
２    ジョイと升。
３    ジョイント升。
４    パネル盤の枠。
５    メッシュ筋、下。
６    メッシュ筋、上。
７    イオン生成材（黒曜石）。
８    温熱パイプ。
９    温水パイプ出口。
１０  縦列型温水入口。
１１  縦列型温水出口。
１２  縦列型入口ジョイント升。
１３  縦列型出口ジョイント升。
【図１】
2006266658.tif 000003
【図２】
2006266658.tif 000004
【図３】
2006266658.tif 000005
【図４】
2006266658.tif 000006
【手続補正書】
【提出日】平成17年6月6日(2005.6.6)
【手続補正１】
【補正対象書類名】明細書
【補正対象項目名】全文
【補正方法】変更
【補正の内容】
【発明の詳細な説明】
【技術分野】
【０００１】
本発明はマイナスイオン・遠赤外線を発生させて利用する床冷暖房パネル盤
【背景技術】
【０００２】
近年、床冷暖房の開発が進み、電気床暖房、又はビニール管方式床暖房、銅管に温熱を使用した床冷暖房工法を現場での作業が大きい。
【０００３】
【発明の開示】
【発明が解決しようとする課題】
【０００４】
しかしこのような床暖房にトルマリン・イオン生成材の量を多くできず、マイナスイオンや遠赤外線を多量に発生し難い。一般的に市販されているような床段房システムを敷くだけでは床部の断熱効果は大きくできない。又、省エネに関しては好ましくない。
【０００５】
本発明はこのような従来の問題点に着目してなされたものであり、マイナスイオンや遠赤外線を多量に発生し易く、その多量のマイナスイオンや遠赤外線による効果が得られると共に、身体の温熱効果も得られ、床暖房効果が大きく、省エネルギーに優れたマイナスイオン床冷暖房を提供する事を目的とする。
【課題を解決するための手段】
【０００６】
上記目的を達成するために、本発明による床暖房パネル盤の床部にメッシュ筋を敷き、その上に温熱管（例えば銅管）を取り付けて温水を循環できる配管装置をセットし、マイナスイオン・遠赤外線イオン生成材を（一例、セメント10％・砂30％・黒曜石砕石30％・黒曜石パーライト30％）で練り合わせた素材を打ち込み、その上に、メッシュ筋を強度を保つために敷き、パーライトモルタルで上部を仕上げる。
【０００７】
部屋内に多量のマイナスイオンを満たし、多量の遠赤外線を放射できる。しかも、壁部の断熱性を大きくして、部屋の断熱効果が大きくできるので省エネルギーに適する。
【発明を実施するための最良の形態】
【０００８】
以下、添付の図1〜4を参照して、本発明の実施の最良形態を説明する。
図１は、本発明を適用したマイナスイオン床冷暖房の断面図、図２はパレット底面にメッシュ筋を敷いた平面図、図３はパレット盤に温水管を取り付け、マイナスイオン生成材を混入した横列型平面図、図４は縦列型連結升に温水管取り付け平面図、いずれも厚みが例えば１０ｃｍ〜12ｃｍからの蓄積体にする。
【０００９】
黒曜鉱石を使用する事により抗菌作用とマイナスイオン・遠赤外線等が発生して住居には最高の健康床暖房装置となる。
表１
長野県和田峠産黒曜石の成分含有率（％）
1   球さん珪酸（無水珪酸）    76.36    2   酸化アルミニウム    12.40
3   酸化カリウム               4.42    4   三酸化鉄             1.05
5   酸化カリウム               0.47    6   酸化マンガン         .018
7   酸化マグネシウム           0.14    8   リン               300ppm
9   スズ                     250ppm    10  ホウ素             150ppm
11  モリブデン                90ppm    12  リチウム            86ppm
13  ニッケル                  38ppm    14  コバルト            30ppm
15  銀                        25ppm    16  銅                  20ppm
17  亜鉛                      20ppm    18  ストロンチウム      10ppm
【発明の詳細な説明】
【００１０】
本発明はトルマリン鉱石・黒曜石・北投石・麦飯石・ラジュウム鉱石等の鉱石へ温熱を加え、マイナスイオン・遠赤外線を発生させ黒曜石熱加工のパーライト又は、自然軽量焼け石等を練り合わせした（シンダーコンクリート）工法を使用する事により、軽量になり運搬と現場作業等の合理化を改善したパネル盤に温熱蓄積層により省エネを解決が出来るパネル盤装置。
【００１１】
荻原大  先願申請の整理番号・Ｐ040Ｈ01  特願2004-294704（Ｐｒｏｏｆ）提出日・平成16年10月7日サウナに関する出願の中にトルマリン特殊パネル盤を今回開発の床暖房の上に重ね温熱を加えるとマイナスイオン・遠赤外線発生サウナに最適である。
建築住宅又は、サウナ関係の床暖房に使用する事により、人体に様々な健康利点になるパネル装置である。
【００１２】
黒曜鉱石は、銀銅・亜鉛等の抗菌性金属元素を含有し、住宅関係の床暖房に使用する事により温熱で高気性に維持する大きな役目を果たしている。
【００１３】
ランニングコストに関しては、先願特許2004-294704（Ｐｒｏｏｆ）提出日・平成16年10月7日荻原大が出願後本サウナ体験装置施工にて更に大き成果が上がって省エネルギー効果として確認できた。
【００１４】
この装置は熱源を床の発熱に求め、床温の上昇によって室温を達成しようとするもので、しかも熱伝導率と熱源そのものを通常の昇温装置（先行技術）比べると非常に低くしてあることを特徴としており、この為に柔らかい室温やマイナスイオン・遠赤外線・他に類を見ない程よく練れた状態で室内環境になる。
【００１５】
生活用の床暖房に使用するには畳のように連結して敷き、温水管を接続して床上にカーペット等を敷き、室内はイオンが発生し、又夏は冷房、寒い時は暖房、１年中一定の温度で保てる生活ができる。
【図面の簡単な説明】
【００１６】
【図１】本発明を適用したマイナスイオン床暖房横列型パネル盤の縦断面図である。  
【図２】同マイナスイオン床暖房横列型パネル盤の縁枠内底面側にメッシュ筋を敷設した状態を示す平面図である。
【図３】同マイナスイオン床暖房横列型パネル盤の縁枠内に更に温水管を敷設し、マイナスイオン生成材を混入して、充填した状態を示す平面図である。
【図４】同マイナスイオン床暖房縦列型パネル盤の縁枠に設けた連結升と温水管との接続状態を示す平面図である。
【符号の説明】
【００１７】
1   温水パイプ入口。
2   ジョイと升。
3   ジョイント升。
4   パネル盤の枠。
5   メッシュ筋、下。
6   メッシュ筋、上。
7   イオン生成材（黒曜石）。
8   温熱パイプ。
9   温水パイプ出口。
10  縦列型温水入口。
11  縦列型温水出口。
12  縦列型入口ジョイント升。
13  縦列型出口ジョイント升。